(57)【特許請求の範囲】
【請求項１】
濾布下端部を濾布長手方向に折り返した折り返し部を濾布幅方向に濾布本体の対応する部分に重ね合せて縫い合せることにより、濾布下端に横長の濾布下端棒差し込み用筒部（４ｂ）を形成するとともに、上記折り返し部の上記筒部（４ｂ）の濾布幅方向の少なくとも一端に濾布下端棒挿入用開口（４ａ）を形成し、上記開口から濾布下端棒（８）の出し入れを許容するとともに該濾布下端棒の外周面から上下に突出した濾布下端棒係止用突出部（８ａ）の下方に突出した部分が上記濾布に係止して上記濾布下端棒が上記筒部から抜け出し不自在とするようにし、且つ上記濾布下端棒が上記筒部内で上方向に移動したときに、上記突出部の上方に突出した部分が、上記筒部の縫い合わせ域に上記筒部内側から突き当たることにより、上記突出部の下方に突出した部分が上記筒部から抜き出るのを防止するようにしたことを特徴とするフィルタプレス用濾布。
【請求項２】
濾布下端部を濾布長手方向に折り返した折り返し部を濾布幅方向に濾布本体の対応する部分に重ね合せて縫い合せることにより、濾布下端に横長の濾布下端棒差し込み用筒部（４ｂ）を形成するとともに、上記折り返し部の上記筒部（４ｂ）の濾布幅方向の少なくとも一端に濾布下端棒挿入用開口（４ａ）を形成し、上記開口から濾布下端棒（８）の出し入れを許容するとともに該濾布下端棒の外周面から突出した濾布下端棒係止用突出部（８ａ）が上記濾布に係止して上記濾布下端棒が上記筒部から抜け出し不自在とするようにしたフィルタプレス用濾布であって、
上記濾布下端棒の上記濾布下端棒係止用突出部は、上記濾布の筒部内に上記濾布下端棒が挿入されて保持された後、上記濾布の外側から上記濾布を貫通して挿入されて、上記濾布下端棒係止用突出部が上記濾布に係止して上記濾布下端棒が上記筒部から抜け出し不自在とするようにしたフィルタプレス用濾布。
【発明の詳細な説明】
【０００１】
【発明の属する技術分野】
本発明は、濾布下端の筒部に濾布下端棒を差し込んで張るようにしたフィルタプレス用濾布に関する。
【０００２】
【従来の技術】
特開平０９−１０８５０９号公報に記載されたフィルタプレスの濾布は、濾布張り棒が、濾布下端部において濾布長手方向に折り返されて濾布全幅がすべて縫製され、かつ、その側端の上部は縫製せず、下部は縫製することにより、折り返された部分の下部に袋状の濾布張り棒収納部を形成し、上記側端の上部の縫製されていない部分から濾布張り棒が差し込まれて、上記収納部内に濾布張り棒を落とし込むようにしている。
【０００３】
【発明が解決しようとする課題】
しかしながら、濾布下端部において、その側端の上部は縫製せず、下部は縫製するようにしているが、上部と下部の区分けが縫製の際に煩雑であり、縫製をより簡単にする構造が望まれていた。
従って、本発明の目的は、上記問題を解決することにあって、濾布下端部に濾布下端棒を容易に取り付けて張ることができて、使用中に濾布下端棒が抜け出さずまた使用後に簡単に濾布下端棒を取り外しすることができ、かつ、縫製作業を簡単なものにすることができるフィルタプレス用濾布を提供することにある。
【０００４】
【課題を解決するための手段】
上記目的を達成するために、本発明は以下のように構成する。
本発明の第１態様によれば、濾布下端部を濾布長手方向に折り返した折り返し部を濾布幅方向に濾布本体の対応する部分に重ね合せて縫い合せることにより、濾布下端に横長の濾布下端棒差し込み用筒部を形成するとともに、上記折り返し部の上記筒部の濾布幅方向の少なくとも一端に濾布下端棒挿入用開口を形成し、上記開口から濾布下端棒の出し入れを許容するとともに該濾布下端棒の外周面から上下に突出した濾布下端棒係止用突出部の下方に突出した部分が上記濾布に係止して上記濾布下端棒が上記筒部から抜け出し不自在とするようにし、且つ上記濾布下端棒が上記筒部内で上方向に移動したときに、上記突出部の上方に突出した部分が、上記筒部の縫い合わせ域に上記筒部内側から突き当たることにより、上記突出部の下方に突出した部分が上記筒部から抜き出るのを防止するようにしたことを特徴とするフィルタプレス用濾布を提供する。
本発明の第２態様によれば、濾布下端部を濾布長手方向に折り返した折り返し部を濾布幅方向に濾布本体の対応する部分に重ね合せて縫い合せることにより、濾布下端に横長の濾布下端棒差し込み用筒部を形成するとともに、上記折り返し部の上記筒部の濾布幅方向の少なくとも一端に濾布下端棒挿入用開口を形成し、上記開口から濾布下端棒の出し入れを許容するとともに該濾布下端棒の外周面から突出した濾布下端棒係止用突出部が上記濾布に係止して上記濾布下端棒が上記筒部から抜け出し不自在とするようにしたフィルタプレス用濾布であって、上記濾布下端棒の上記濾布下端棒係止用突出部は、上記濾布の筒部内に上記濾布下端棒が挿入されて保持された後、上記濾布の外側から上記濾布を貫通して挿入されて、上記濾布下端棒係止用突出部が上記濾布に係止して上記濾布下端棒が上記筒部から抜け出し不自在とするようにしたフィルタプレス用濾布を提供する。
【０００５】
上記構成によれば、濾布下端部を濾布長手方向に折り返した折り返し部を濾布幅方向に濾布本体の対応する部分に重ね合せて縫い合せることにより、濾布下端に横長の濾布下端棒差し込み用筒部を簡単に形成することができるとともに、上記折り返し部の上記筒部の濾布幅方向の少なくとも一端の濾布下端棒挿入用開口から濾布下端棒を出し入れするようにして、筒部内に挿入された濾布下端棒の濾布下端棒係止用突出部が上記濾布に係止して上記濾布下端棒が上記濾布から抜け出し不自在とする一方、上記突出部と濾布との係止を解除すれば、濾布下端棒を濾布の筒部から簡単に抜き出すことができる。
【０００６】
【発明の実施の形態】
以下に、本発明にかかる実施の形態を図面にづいて詳細に説明する。
【０００７】
本発明の一実施形態にかかるフィルタプレス用濾布として、図１〜４にはセンタフィード型フィルタプレスの濾板（図示せず）に掛ける濾布４を示している。上記濾布４は、濾布下端部を濾布４の長さ方向に折り返した折り返し部の上端部の全幅の縫い付け域４ｃを、濾布本体の対向する部分に重ね合せて縫い合せることにより、濾布下端に横長の濾布下端棒差し込み用筒部４ｂを形成する。また、上記折り返し部の筒部４ｂの幅方向の両端を、濾布下端棒８の出し入れを許容するための不縫い付け域として開口４ａ，４ａを形成することを特徴としている。
一方、筒部４ｂ内に挿入する濾布下端棒８は、その両端に、貫通溝８ｂをそれぞれ形成し、濾布下端棒８を筒部４ｂ内に挿入して保持された後、濾布下端棒８の両側の溝８ｂ内に濾布下端棒係止用突出部の一例としてのピン８ａを図４の矢印Ｆのようにそれぞれ嵌合固定して、ピン８ａを濾布４に係止する。ピン８ａは濾布下端棒８の貫通溝８ａに対して上方から図４の矢印Ｆのように差し込んで濾布下端棒８の外周面の上下にそれぞれ突出するように嵌合固定され、ピン８ａの下方に突出した部分が濾布４の筒部４ｂに係止して濾布下端棒８が筒部４ｂ内から濾布下端棒軸方向に抜け出さないようにする。なお、このようにピン８ａが濾布４の筒部４ｂに係止する係止方法としては、ピン８ａが細い針のような場合には濾布４の筒部４ｂの網目に係止する一方、ピン８ａが筒部４ｂの網目に容易に係止できない程度に太い棒のような場合には濾布４の筒部４ｂに形成した穴に係止する。また、ピン８ａの上方に突出した部分は、濾布下端棒８が筒部４ｂ内で上方向に移動したとき濾布４の筒部４ｂの縫い付け域４ｃに筒部内側から突き当たることにより、濾布下端棒８が上向きに移動しても筒部４ｂに係止されたピン８ａの下方の突出部分が筒部４ｂから抜き出るのを防止するようにしている。
図３は、図１の濾布４の下部の一部を切断して拡大した図である。濾布下端棒８を濾布４の筒部４ｂに差し込むときは、図１，４に示すように、濾布下端棒８の一端を上記筒部４ｂの一方の開口４ａの広幅の開口に差込み、そのまま濾布下端棒８を筒部４ｂ内に押し込む。押し込んだ濾布下端棒８の他端の溝８ｂ内に、濾布４の筒部４ｂを貫通させてピン８ａを嵌合させたのち、濾布下端棒８の外周から突出したピン８ａが筒部４ｂに係止して濾布下端棒８を濾布筒部４ｂに対して抜け止め保持させる。この結果、濾布下端棒８が濾布４の筒部４ｂ内に抜け止め保持された状態で、濾布４は濾布下端棒８の自重により幅方向に張られた状態となる。
その他、濾布４の構造及び濾板に対する掛け外し方法は公知のとおりである。
【０００８】
なお、濾布４の上端には従来と同様に濾布全幅を縫い付けた上側袋部４ｈを形成し、この上側袋部４ｈ内に濾布吊り棒７を差し込んで濾布４を濾板間で吊り支持するようにしている。
なお、上記濾布４の原液孔４ｇは図１では濾板の濾過床の中央に対応する位置に形成しているが、これに限らず、濾板の濾過床に対応する部分のいずれの個所にあってもよい。また、濾布４の原液孔４ｇは濾板の額縁の中あるいは額縁の外側に対応する位置に形成してもよい。また、上記濾布４は単式濾板にもまた複式濾板にも掛けることができる。濾布４の生地は特に問わない。なお、この実施形態では、原液孔４ｇの周囲に円筒状の濾布部分を一体的に形成して、濾板の前後の濾布４，４を上記円筒状の濾布部分で一体的に連結して構成する濾布を図示しているが、本発明はこのような構造の濾布に限られるものではなく、その他種々の構造の濾布に適用することができる。
濾布下端棒８はポリ塩化ビニル樹脂製の丸棒が多く使用されるが、ポリプロピレン樹脂又は鉄製の棒でもよい。
【０００９】
なお、筒部４ｂを形成するとき、筒部４ｂの上端部の全幅を濾布本体に縫い付けるのではなく、部分的に縫い付けるようにしてもよい。
また、開口４ａは、筒部４ｂの一端に１個のみ形成し、筒部４ｂの他方の端部を濾布本体に縫い付けるようにしてもよい。この場合には、ピン８ａは一方の開口側にのみ設ければ十分である。但し、濾布４に張りをもたせる場合には両側にピン８ａを差し込むのが好ましい。
【００１０】
上記実施形態によれば、濾布下端部を濾布長手方向に折り返した折り返し部を濾布幅方向に濾布本体の対応する部分に重ね合せて縫い合せることにより、濾布下端に横長の濾布下端棒差し込み用筒部４ｂを簡単に形成することができるとともに、上記折り返し部の上記筒部４ｂの濾布幅方向の少なくとも一端の濾布下端棒挿入用開口４ａから濾布下端棒８を出し入れするようにして、筒部４ｂ内に挿入された濾布下端棒８の濾布下端棒係止用ピン８ａが上記濾布４に係止して上記濾布下端棒８が上記濾布４から抜け出し不自在とする一方、上記ピン８ａと濾布４との係止を解除すれば、濾布下端棒８を濾布４の筒部４ｂから簡単に抜き出すことができる。
また、たとえ、突出部であるピン８ａが筒部４ｂ内で図３に示すように距離Ｓだけ上向きに飛び上がっても、濾布下端棒８の上側に突出したピン８ａが縫い付け域４ｃに突き当たることによりピン８ａが筒部４ｂから抜け出ることが妨げられ、ピン８ａが筒部４ｂにより確実に係止させることができる。
また、濾布下端棒８の側にピン８ａ，８ａをそれぞれ差し込んで筒部４ｂに係止させることにより、濾布４に張りをもたせることができる。
【図面の簡単な説明】
【図１】  本発明の一実施形態にかかるフィルタプレス用濾布であるセンタフィード型フィルタプレスの濾布とその濾布の上下に濾布吊棒を配置した状態の正面図である。
【図２】  図１の濾布の側面図である。
【図３】  図１の濾布の下部の一部を切断して拡大した断面側面図である。
【図４】  図１の濾布の下部の一部を切断して拡大した断面正面図である。
【符号の説明】
４…濾布、４ａ…開口、４ｂ…筒部、４ｃ…縫い付け域、４ｇ…原液孔、４ｈ…上側袋部、７…濾布吊棒、８…濾布下端棒、８a…ピン、８ｂ…ピン嵌合用溝。
【図１】
0003737267.tif 000002
【図２】
0003737267.tif 000003
【図３】
0003737267.tif 000004
【図４】
0003737267.tif 000005